(57)【特許請求の範囲】
【請求項１】
計測を行う第１の計測モードから、少なくとも校正値のいずれかを入力して設定第１の校正モードに遷移する第１のキーと、
前記第１の校正モードにて、前記校正値を入力する複数の第２のキーと、
を備えている計測装置に於いて、
前記第１の計測モードにて、いずれかの前記第２のキーの押下により、押下された前記第２のキーに対応付けられた前記校正値を計測する第２の校正モードに遷移する、
ことを特徴とする計測装置。
【請求項２】
前記第１の計測モードにて、いずれかの前記第２のキーの長押しを検知したときに、長押しが検知された前記第２のキーに対応付けられた前記校正値を計測する前記第２の校正モードに遷移する、
ことを特徴とする請求項１に記載の計測装置。
【請求項３】
前記第１の計測モードにて、前記第１のキーの長押しを検知したときに、少なくとも前記校正値のいずれかを設定する前記第１の校正モードに遷移し、
前記第１のキーの短押しを検知したときに、前記第１の校正モード以外の状態に遷移する、
ことを特徴とする請求項１または請求項２に記載の計測装置。
【請求項４】
請求項１ないし請求項３のいずれか１項に記載の計測装置において更に、前記第１の計測モードから第２の計測モードに遷移する第３のキーを備え、
前記第２の計測モードでは、前記第１のキーによる前記第１の校正モードへの遷移、または、いずれかの前記第２のキーによる前記第２の校正モードへの遷移が制限される、
ことを特徴とする計測装置。
【請求項５】
複数の前記第２のキーには、少なくとも前記校正値のいずれかの桁の数値を変更するキーが含まれている、
ことを特徴とする請求項１ないし請求項４のいずれか１項に記載の計測装置。
【請求項６】
請求項１ないし請求項５のいずれか１項に記載の計測装置は、被計量物の荷重を計量する計量装置、圧力を計測する圧力計、動力装置のトルクを計測するトルク計、加速度を計測する加速度計、変位を計測する変位計のいずれかである、
ことを特徴とする計測装置。
【発明の詳細な説明】
【技術分野】
【０００１】
本発明は、校正値を設定または計測する校正モードを複数有する計測装置に関する。
【背景技術】
【０００２】
近年、指示計、体重計、圧力計、トルク計、加速度計、変位計などに代表される計測装置は、デジタル化による機能の増加に伴い、複数の校正項目を有するようになっている。計測装置は、複数の校正項目を簡素、かつ、短時間に実行することが求められている。計測装置は更に、小型、廉価、かつ、部品点数が少ないことが求められている。このとき、キースイッチの数は少ないほどよい。
【０００３】
特許文献１には、測定／校正モード切換機構が、測定側に設定されていたときには所定の演算を実行し、校正側に設定されていたときには、予めメモリーに記憶された校正基準値と比較し、以後の測定値のゼロ点およびスパン補正を行うアナログ信号測定装置の発明が記載されている。当該発明では、校正を指令するひとつの操作手段のみで、ゼロ点およびスパンの校正を可能としている。これにより、操作性を向上させ、誤操作を防止することができる。
【０００４】
特許文献２には、少ないキー操作で所望のメニューを選択することができる電子天びんの発明が記載されている。これにより、少ないキー操作でメニュー項目を呼び出すことができるので、キー操作によって天びんが揺れることによる誤計測を防止することができる。
【先行技術文献】
【特許文献】
【０００５】
【特許文献１】特開平２−２０３２１３号公報
【特許文献２】特開平８−３０４１５１号公報
【発明の概要】
【発明が解決しようとする課題】
【０００６】
特許文献１に記載された発明は、単一の校正モードを有する測定装置には有効である。しかし、近年のデジタル化された計測装置は、複数の校正モードを有しており、特許文献１に記載された発明を、そのまま適用することはできない。
【０００７】
特許文献２に記載された発明は、頻繁に使用されるメニュー項目を即座に呼び出すには有効である。しかし、特許文献２に記載された発明を、複数の校正モードを有する計測装置に適用しようとすると、多数のキースイッチを要するため、部品点数が増大してコストアップし、計測装置が大型化する虞があり、さらに操作性が低下する虞がある。
【０００８】
そこで、本発明は、少ないキースイッチに於ける簡単なキー操作によって、所定の校正モードを呼び出すことを可能とする計測装置を提供することを課題とする。
【課題を解決するための手段】
【０００９】
前記課題を解決するために、本発明の計測装置は以下のように構成した。
【００１０】
すなわち、本発明の計測装置は、計測を行う第１の計測モードから、少なくとも校正値のいずれかを入力して設定する第１の校正モードに遷移する第１のキーと、前記第１の校正モードにて、前記校正値を入力する複数の第２のキーと、を備えている計測装置に於いて、前記第１の計測モードにて、いずれかの前記第２のキーの押下により、押下された前記第２のキーに対応付けられた前記校正値を計測する第２の校正モードに遷移する、ことを特徴とする。
その他の手段については、発明を実施するための形態のなかで説明する。
【発明の効果】
【００１１】
本発明によれば、少ないキースイッチに於ける簡単なキー操作によって、所定の校正モードを呼び出すことを可能とする計測装置を提供することが可能となる。
【図面の簡単な説明】
【００１２】
【図１】第１の実施形態に於ける指示計の前面図である。
【図２】第１の実施形態に於ける全体のモード遷移を示す図である。
【図３】第１の実施形態に於ける校正設定モードなどへのモード遷移を示す図である。
【図４】第１の実施形態に於ける最大表示値設定のモード遷移を示す図である。
【図５】第２の実施形態に於ける最大表示値設定のモード遷移を示す図である。
【発明を実施するための形態】
【００１３】
以降、本発明を実施するための形態を、図を参照して詳細に説明する。但し、図面はもっぱら解説のためのものであって、本発明の範囲を限定するものではない。
【００１４】
（第１の実施形態の構成）
図１は、第１の実施形態に於ける指示計の前面図である。
指示計１０（計測装置）は、前面に表示部１１と、操作部１２とを有し、内部に処理部（不図示）と、記憶部（不図示）と、アンプ（不図示）と、フィルタ（不図示）と、アナログ／デジタル変換器（不図示）とを有している。操作部１２は、「ＦＵＮＣ」キー１２ａと、「ＺＥＲＯ／←」キー１２ｂと、「ＳＰＡＮ／↑」キー１２ｃと、「Ｆ／ＥＮＴ」キー１２ｄとを有している。
【００１５】
指示計１０は、外部のロードセル（不図示）に接続されている。このロードセルは、アンプ（不図示）とフィルタ（不図示）とアナログ／デジタル変換器（不図示）とを介して処理部（不図示）に接続されている。処理部（不図示）は、記憶部（不図示）と、表示部１１と、操作部１２とに接続されている。
【００１６】
表示部１１は、例えばＬＥＤ（Light Emitting Diode）表示装置である。表示部１１は、最も右側に単位系「ｇ」などを表示する部位を備え、その左側に６桁の７セグメントＬＥＤからなる表示部位を備えている。表示部１１は、この７セグメントＬＥＤの表示パターンにより、数字または簡単なアルファベットを表示することが可能である。しかし、これに限られず、表示部１１は、数字とアルファベットを表示可能な液晶表示装置などであってもよい。
【００１７】
例えば、図１に示すように操作部１２は、この指示計１０を操作する部位であり、４つのキーからなるキースイッチ群を有している。操作部１２には、最も左側から順に、「ＦＵＮＣ」キー１２ａ、「ＺＥＲＯ／←」キー１２ｂ、「ＳＰＡＮ／↑」キー１２ｃ、「Ｆ／ＥＮＴ」キー１２ｄが並んでいる。
そして、各キースイッチは、角が丸まった四角形をしている。各キースイッチの表面には、キーの名称に対応した文字が示されている。ユーザは、それぞれのキーの短押しにより、各キーの短押しに対応した処理を、指示計１０に行わせることができる。ユーザは更に、それぞれのキーの長押しにより、各キーの長押しに対応した処理を、指示計１０に行わせることができる。
ここで短押しとは、所定値未満の期間だけキーを押下したのち、キーを離すことをいう。長押しとは、所定値以上の期間にわたりキーを押下することをいう。
【００１８】
「ＦＵＮＣ」キー１２ａ（第１のキー）は、例えば、計測を行う計測状態（校正ロック解除）Ｍ１０ａ（図２）で長押しされたとき、少なくとも校正値のいずれかを設定する校正設定モードＭ４０（図２）に遷移するキーである。
「ＺＥＲＯ／←」キー１２ｂ（第２のキー）は、例えば、計測を行う計測状態（校正ロック解除）Ｍ１０ａ（図２）で長押しされたとき、当該「ＺＥＲＯ／←」キー１２ｂに対応付けられた校正値を計測するＺＥＲＯ校正モードＭ２０（図２）（第２の校正モード）に遷移するキーである。
同様に「ＳＰＡＮ／↑」キー１２ｃは、例えば、計測を行う計測状態（校正ロック解除）Ｍ１０ａ（図２）で長押しされたとき、当該「ＳＰＡＮ／↑」キー１２ｃに対応付けられた校正値を計測するＳＰＡＮ校正モードＭ３０（図２）（第２の校正モード）に遷移するキーである。
「Ｆ／ＥＮＴ」キー１２ｄ（第３のキー）は、例えば、計測状態（校正ロック解除）Ｍ１０ａ（図２）で長押しされたとき、計測状態（校正ロック）Ｍ１０ｂ（図２）に遷移するキーである。
この計測状態（校正ロック）Ｍ１０ｂ（図２）では、「ＦＵＮＣ」キー１２ａによる校正設定モードＭ４０（第１の校正モード）への遷移、「ＺＥＲＯ／←」キー１２ｂによるＺＥＲＯ校正モードＭ２０（図２）への遷移、または、「ＳＰＡＮ／↑」キー１２ｃによるＳＰＡＮ校正モードＭ３０（図２）への遷移が制限されている。
【００１９】
ロードセル（不図示）は、荷重をセンサ信号（電気信号）に変換して出力するセンサであり、例えば上面に被計量物を載置する載置部が設けられている。ユーザは、この載置部に、例えば、器に載せた被計量物を載置し、指示計１０によって荷重を計量（計測）する。
【００２０】
アンプ（不図示）は、入力されたセンサ信号（電気信号）を増幅して出力する増幅器であり、例えば演算増幅器を用いた帰還回路である。
フィルタ（不図示）は、例えば、入力信号にローパスフィルタ処理を掛けて出力するフィルタ回路である。アナログ／デジタル変換器（不図示）は、アナログ入力信号をデジタル信号に変換する変換器である。
処理部（不図示）は、例えば、ＣＰＵ（Central Processing Unit）が、ＲＯＭ（Read Only Memory）から読み出したプログラムをＲＡＭ（Random Access Memory）に格納して実行することによって具現化される。
記憶部（不図示）は、例えば、ＲＯＭ、ＲＡＭ、ＨＤＤ（Hard Disk Drive）、フラッシュメモリなどであり、プログラムまたはデータを格納する。
【００２１】
（第１の実施形態の動作）
図１を基に、指示計１０の動作を説明する。
被計量物および／または当該被計量物を入れる器などを外部のロードセルに載置すると、この外部のロードセルは、載置した被計量物などの荷重を示すセンサ信号を出力する。このセンサ信号は、指示計１０に入力される。このセンサ信号は、アンプ（不図示）によって増幅されて、フィルタ（不図示）で安定化されたのちにアナログ／デジタル変換器（不図示）でデジタル信号に変換される。このデジタル信号は、処理部（不図示）によって処理され、表示部１１に表示される。
ユーザが操作部１２を操作することにより、この指示計１０のモードを遷移させ、この指示計１０が表示部１１に表示している内容を変更することができる。
【００２２】
図２は、第１の実施形態に於ける全体のモード遷移を示す図である。
なお、図２に於いて、「Ｆ／ＥＮＴ」キー１２ｄ（図１）は、単に「ＥＮＴキー」と記載している。更に、図２の説明に於いて、図１の符号で示した部位を断りなく記載している。
指示計１０は、計測状態Ｍ１０と、ＦＵＮＣモードＭ１１と、Ｆキー割当機能実施モードＭ１２と、ＺＥＲＯ校正モードＭ２０と、ＳＰＡＮ校正モードＭ３０と、校正設定モードＭ４０とに遷移可能である。計測状態Ｍ１０は更に、計測状態（校正ロック解除）Ｍ１０ａと、計測状態（校正ロック）Ｍ１０ｂとを含んでいる。計測状態（校正ロック解除）Ｍ１０ａは、第１の計測モードである。計測状態（校正ロック）Ｍ１０ｂは、第２の計測モードである。
【００２３】
計測状態Ｍ１０は、ロードセルから入力されるセンサ信号に、所定の演算を施して数値化し、この数値化した信号を表示部１１に表示することを所定の周期で繰り返すモードである。
ＦＵＮＣモードＭ１１は、例えば、多用する測定項目を簡単なキー操作で呼び出すモードである。Ｆキー割当機能実施モードＭ１２は、例えば、ＦＵＮＣモードＭ１１で実行する機能を割り当てるモードである。
【００２４】
ＺＥＲＯ校正モードＭ２０（第２の校正モード）は、接続されているロードセルに被計量物を入れる器のみを載せた状態である風袋の実計量値の取り込みを行うモードである。このとき取り込んだ実計量値を、以下、「ゼロ点ひずみ値」と記載していることがある。
【００２５】
ＳＰＡＮ校正モードＭ３０（第２の校正モード）は、器に被計量物として荷重値の基準となる分銅を載せた状態の実計量値の取り込みを行うモードである。このとき取り込んだ実計量値を、以下、「スパンひずみ値」と記載していることがある。
校正設定モードＭ４０（第１の校正モード）は、少なくとも校正値のいずれかを設定するモードである。
計測状態Ｍ１０のとき、指示計１０は、「ＦＵＮＣ」キー１２ａを短押しすると、ＦＵＮＣモードＭ１１に遷移し、「Ｆ／ＥＮＴ」キー１２ｄを短押しすると、Ｆキー割当機能実施モードＭ１２に遷移する。
【００２６】
計測状態（校正ロック解除）Ｍ１０ａのとき、指示計１０は、「ＺＥＲＯ／←」キー１２ｂを長押しすると、ＺＥＲＯ校正モードＭ２０に遷移する。ＺＥＲＯ校正モードＭ２０のとき、指示計１０は、「ＦＵＮＣ」キー１２ａまたは「Ｆ／ＥＮＴ」キー１２ｄを短押しすると、計測状態（校正ロック解除）Ｍ１０ａに遷移する。
計測状態（校正ロック解除）Ｍ１０ａのとき、指示計１０は、「ＳＰＡＮ／↑」キー１２ｃを長押しすると、ＳＰＡＮ校正モードＭ３０に遷移する。ＳＰＡＮ校正モードＭ３０のとき、指示計１０は、「ＦＵＮＣ」キー１２ａまたは「Ｆ／ＥＮＴ」キー１２ｄを短押しすると、計測状態（校正ロック解除）Ｍ１０ａに遷移する。
計測状態（校正ロック解除）Ｍ１０ａのとき、指示計１０は、「ＦＵＮＣ」キー１２ａを長押しすると、校正設定モードＭ４０に遷移する。
【００２７】
図３は、第１の実施形態に於ける校正設定モードなどへのモード遷移を示す図である。なお、以下の図３〜図５に於いて、「Ｆ／ＥＮＴ」キー１２ｄは「ＥＮＴキー」と記載し、「ＳＰＡＮ／↑」キー１２ｃは「↑キー」と記載し、「ＺＥＲＯ／←」キー１２ｂは、「←キー」と記載している場合がある。更に、図３〜図５の説明に於いて、図１の符号で示した部位を断りなく記載している。
（ＺＥＲＯ校正モードの説明）
ＺＥＲＯ校正モードＭ２０（図２）は、ゼロ点ひずみ値を計測するモードである。
ＺＥＲＯ校正モードＭ２０（図２）は、ゼロ点入力値登録開始モードＭ２１と、ゼロ点ひずみ値確定モードＭ２２とを備えている。
ゼロ点入力値登録開始モードＭ２１は、ゼロ点ひずみ値の取り込みを開始可能なモードである。
ゼロ点ひずみ値確定モードＭ２２とは、ゼロ点ひずみ値を取り込んで確定させるモードである。
計測状態（校正ロック解除）Ｍ１０ａのとき、指示計１０は、「ＺＥＲＯ／←」キー１２ｂを長押しすると、ゼロ点入力値登録開始モードＭ２１に遷移する。
ゼロ点入力値登録開始モードＭ２１のとき、指示計１０は、「Ｆ／ＥＮＴ」キー１２ｄを短押しすると、ゼロ点ひずみ値確定モードＭ２２を経て計測状態（校正ロック解除）Ｍ１０ａに遷移し、「ＦＵＮＣ」キー１２ａを短押しすると、ゼロ点ひずみ値の校正を行わずに、計測状態（校正ロック解除）Ｍ１０ａに遷移する。
【００２８】
（ＳＰＡＮ校正モードの説明）
ＳＰＡＮ校正モードＭ３０（図２）は、器に被計量物として荷重値の基準となる分銅を載せた状態の実計量値を計測するモードである。
ＳＰＡＮ校正モードＭ３０（図２）は、スパン入力値登録開始モードＭ３１と、スパンひずみ値確定モードＭ３２とを備えている。
【００２９】
スパン入力値登録開始モードＭ３１は、スパンひずみ値の取り込みを開始可能なモードである。
スパンひずみ値確定モードＭ３２とは、スパンひずみ値を取り込んで確定させるモードである。
計測状態（校正ロック解除）Ｍ１０ａのとき、指示計１０は、「ＳＰＡＮ／↑」キー１２ｃを長押しすると、スパン入力値登録開始モードＭ３１に遷移する。
【００３０】
スパン入力値登録開始モードＭ３１のとき、指示計１０は、「Ｆ／ＥＮＴ」キー１２ｄを短押しすると、スパンひずみ値確定モードＭ３２を経て計測状態（校正ロック解除）Ｍ１０ａに遷移し、「ＦＵＮＣ」キー１２ａを短押しすると、スパンひずみ値の校正を行わずに、計測状態（校正ロック解除）Ｍ１０ａに遷移する。
【００３１】
（校正設定モードの説明）
校正設定モードＭ４０（図２）は、目量設定に係るモードと、最大表示値設定に係るモードと、分銅値設定に係るモードと、ゼロ校正に係るモードと、スパン校正に係るモードと、ＥＮＤ表示モードＭ９１とを備えている。
【００３２】
（目量設定に係るモードの説明）
目量設定とは、測定結果の表示単位（スケール）を設定することである。
例えば、目量「１」が設定されていると、計測状態Ｍ１０に於ける測定物の表示値の表示単位は０．１となる。このとき、実計量値が次第に増加する場合の表示値は「５．１，５．２，５．３，…」と変化する。
目量「２」が設定されていると、測定物の表示値の表示単位は０．２となる。このとき、実計量値が次第に増加する場合の表示値は「５．２，５．４，５．６，…」と変化する。
目量「５」が設定されていると、測定物の表示値の表示単位は０．５となる。このとき、実計量値が次第に増加する場合の表示値は「５．５，６．０，６．５，…」と変化する。
【００３３】
目量設定に係るモードは、ＳＣＡＬ表示モードＭ４１と、目量設定モードＭ４２とである。なお、本実施形態に於いてＳＣＡＬとは、スケール（Scale）の略称である。
ＳＣＡＬ表示モードＭ４１は、表示部１１に「ＳＣＡＬ」が表示されているモードである。目量設定モードＭ４２は、目量を設定するモードである。
計測状態（校正ロック解除）Ｍ１０ａのとき、指示計１０は、「ＦＵＮＣ」キー１２ａを長押しすると、ＳＣＡＬ表示モードＭ４１に遷移する。
【００３４】
ＳＣＡＬ表示モードＭ４１のとき、指示計１０は、「Ｆ／ＥＮＴ」キー１２ｄを短押しすると、目量設定モードＭ４２に遷移し、「ＳＰＡＮ／↑」キー１２ｃを短押しするとＤＩＳＰ表示モードＭ５１に遷移し、「ＦＵＮＣ」キー１２ａを短押しすると、計測状態（校正ロック解除）Ｍ１０ａに遷移する。
【００３５】
目量設定モードＭ４２のとき、指示計１０は、「ＳＰＡＮ／↑」キー１２ｃを短押しするごとに、予め決められた目量の配列（例えば、「０１，０２，０５，１０，２０，５０」）を順番に表示し、「Ｆ／ＥＮＴ」キー１２ｄを短押しすると、入力した目量を指示計１０に設定してＤＩＳＰ表示モードＭ５１に遷移し、「ＦＵＮＣ」キー１２ａを短押しすると、入力した目量を設定せずにＳＣＡＬ表示モードＭ４１に戻る。
【００３６】
（最大表示値設定に係るモードの説明）
最大表示値設定とは、最大計量荷重値（被計量物の表示値の最大）を設定することである。
例えば、最大表示値「１」が設定されていると、最大計量荷重値は１ｇである。最大表示値「１０００」が設定されていると、最大計量荷重値は１，０００ｇ＝１ｋｇである。最大表示値「９００００」が設定されていると、最大計量荷重値は９０，０００ｇ＝９０ｋｇである。
最大表示値設定に係るモードは、ＤＩＳＰ表示モードＭ５１と、最大表示値設定モードＭ５２とである。
ＤＩＳＰ表示モードＭ５１は、表示部１１に「ＤＩＳＰ」が表示されているモードである。最大表示値設定モードＭ５２は、最大表示値を設定するモードである。
【００３７】
ＤＩＳＰ表示モードＭ５１のとき、指示計１０は、「Ｆ／ＥＮＴ」キー１２ｄを短押しすると、最大表示値設定モードＭ５２に遷移し、「ＳＰＡＮ／↑」キー１２ｃを短押しすると、ＬＯＡＤ表示モードＭ６１に遷移し、「ＺＥＲＯ／←」キー１２ｂを短押しすると、ＳＣＡＬ表示モードＭ４１に遷移し、「ＦＵＮＣ」キー１２ａを短押しすると、計測状態（校正ロック解除）Ｍ１０ａに遷移する。
【００３８】
最大表示値設定モードＭ５２のとき、指示計１０は、「Ｆ／ＥＮＴ」キー１２ｄを短押しすると、入力した最大表示値を設定してＬＯＡＤ表示モードＭ６１に遷移し、「ＦＵＮＣ」キー１２ａを短押しすると、入力した最大表示値を設定せずにＤＩＳＰ表示モードＭ５１に戻る。最大表示値設定モードＭ５２に於ける最大表示値の設定方法は、後記する図４で詳細に説明する。
【００３９】
（分銅値設定に係るモードの説明）
分銅値設定とは、ロードセル上に載置している分銅の質量を設定することである。
例えば、分銅値「１」が設定されていると、分銅値は１ｇである。分銅値「１０００」が設定されていると、分銅値は１，０００ｇ＝１ｋｇである。分銅値「９００００」が設定されていると、分銅値は９０，０００ｇ＝９０ｋｇである。
分銅値設定に係るモードは、ＬＯＡＤ表示モードＭ６１と、分銅値設定モードＭ６２とである。
ＬＯＡＤ表示モードＭ６１は、表示部１１に「ＬＯＡＤ」が表示されているモードである。分銅値設定モードＭ６２は、分銅値を設定するモードである。
【００４０】
ＬＯＡＤ表示モードＭ６１のとき、指示計１０は、「Ｆ／ＥＮＴ」キー１２ｄを短押しすると、分銅値設定モードＭ６２に遷移し、「ＳＰＡＮ／↑」キー１２ｃを短押しすると、Ｚ＿ＭＶ表示モードＭ７１に遷移し、「ＺＥＲＯ／←」キー１２ｂを短押しすると、ＤＩＳＰ表示モードＭ５１に遷移し、「ＦＵＮＣ」キー１２ａを短押しすると、計測状態（校正ロック解除）Ｍ１０ａに遷移する。
【００４１】
分銅値設定モードＭ６２のとき、指示計１０は、「Ｆ／ＥＮＴ」キー１２ｄを短押しすると、入力した分銅値を設定してＺ＿ＭＶ表示モードＭ７１に遷移し、「ＦＵＮＣ」キー１２ａを短押しすると、入力した分銅値を設定せずにＬＯＡＤ表示モードＭ６１に戻る。
【００４２】
（ゼロ校正に係るモードの説明）
ゼロ校正とは、接続されているロードセルに被計量物を入れる器のみを載せた状態である風袋の実計量値（ゼロ点ひずみ値）を設定するモードである。
ゼロ校正に係るモードは、Ｚ＿ＭＶ表示モードＭ７１と、ゼロ点ひずみ値設定モードＭ７２とである。
【００４３】
Ｚ＿ＭＶ表示モードＭ７１は、表示部１１に「Ｚ＿ＭＶ」が表示されているモードである。ゼロ点ひずみ値設定モードＭ７２は、ゼロ点ひずみ値を設定するモードである。
【００４４】
Ｚ＿ＭＶ表示モードＭ７１のとき、指示計１０は、「Ｆ／ＥＮＴ」キー１２ｄを短押しすると、ゼロ点ひずみ値設定モードＭ７２に遷移し、「ＳＰＡＮ／↑」キー１２ｃを短押しすると、Ｓ＿ＭＶ表示モードＭ８１に遷移し、「ＺＥＲＯ／←」キー１２ｂを短押しすると、ＬＯＡＤ表示モードＭ６１に遷移し、「ＦＵＮＣ」キー１２ａを短押しすると、計測状態（校正ロック解除）Ｍ１０ａに遷移する。
【００４５】
ゼロ点ひずみ値設定モードＭ７２のとき、指示計１０は、「Ｆ／ＥＮＴ」キー１２ｄを短押しすると、入力したゼロ点ひずみ値を設定したのちＳ＿ＭＶ表示モードＭ８１に遷移し、「ＦＵＮＣ」キー１２ａを短押しすると、入力したゼロ点ひずみ値を設定せずにＺ＿ＭＶ表示モードＭ７１に遷移する。
【００４６】
（スパン校正に係るモードの説明）
スパン校正とは、器に被計量物としての分銅を載せた状態の実計量値（スパンひずみ値）を設定するモードである。
スパン校正に係るモードは、Ｓ＿ＭＶ表示モードＭ８１と、スパンひずみ値設定モードＭ８２とである。
【００４７】
Ｓ＿ＭＶ表示モードＭ８１は、表示部１１に「Ｓ＿ＭＶ」が表示されているモードである。スパンひずみ値設定モードＭ８２は、スパンひずみ値を設定するモードである。
【００４８】
Ｓ＿ＭＶ表示モードＭ８１のとき、指示計１０は、「Ｆ／ＥＮＴ」キー１２ｄを短押しすると、スパンひずみ値設定モードＭ８２に遷移し、「ＳＰＡＮ／↑」キー１２ｃを短押しすると、ＥＮＤ表示モードＭ９１に遷移し、「ＺＥＲＯ／←」キー１２ｂを短押しすると、Ｚ＿ＭＶ表示モードＭ７１に遷移し、「ＦＵＮＣ」キー１２ａを短押しすると、計測状態（校正ロック解除）Ｍ１０ａに遷移する。
【００４９】
スパンひずみ値設定モードＭ８２のとき、指示計１０は、「Ｆ／ＥＮＴ」キー１２ｄを短押しすると、入力したスパンひずみ値を設定したのちＥＮＤ表示モードＭ９１に遷移し、「ＦＵＮＣ」キー１２ａを短押しすると、入力したスパンひずみ値を設定せずにＳ＿ＭＶ表示モードＭ８１に遷移する。
【００５０】
（ＥＮＤ表示モードＭ９１の説明）
ＥＮＤ表示モードＭ９１は、表示部１１に「ＥＮＤ」が表示されているモードである。
ＥＮＤ表示モードＭ９１のとき、指示計１０は、「ＺＥＲＯ／←」キー１２ｂを短押しすると、Ｓ＿ＭＶ表示モードＭ８１に遷移し、「ＦＵＮＣ」キー１２ａを短押しすると、計測状態（校正ロック解除）Ｍ１０ａに遷移する。
【００５１】
図４（ａ），（ｂ）は、第１の実施形態に於ける最大表示値設定のモード遷移を示す図である。
図４（ａ）は、第１の実施形態に於ける最大表示値設定のモード遷移図である。
最大表示値設定モードＭ５２は、最大表示値表示モードＭ５２ａと、数値増加モードＭ５２ｂと、カーソル位置移動モードＭ５２ｃとを有している。
最大表示値表示モードＭ５２ａは、最大表示値を表示するモードである。
【００５２】
数値増加モードＭ５２ｂは、カーソル位置の数値を１だけ増加させるモードである。ただし、カーソル位置の数字が９のときには、カーソル位置の数値は０に戻る。第１の実施形態に於いてカーソルは、表示の点滅によって表現されている。しかし、これに限られず、指示計１０は、表示色の変更や下線の付与などによって、カーソルを表現してもよい。
【００５３】
カーソル位置移動モードＭ５２ｃは、カーソル位置を左に移動するモードである。ただし、カーソル位置が表示部１１の左端のときには、カーソル位置は右端に戻る。
【００５４】
最大表示値表示モードＭ５２ａのとき、指示計１０は、「ＳＰＡＮ／↑」キー１２ｃを短押しすると、数値増加モードＭ５２ｂに遷移して数値を更新したのち、自動的に最大表示値表示モードＭ５２ａに戻り、「ＺＥＲＯ／←」キー１２ｂを短押しすると、カーソル位置移動モードＭ５２ｃに遷移して、カーソル位置を更新したのち、自動的に最大表示値表示モードＭ５２ａに戻る。
【００５５】
図４（ｂ）は、第１の実施形態に於ける最大表示値設定のモード遷移による最大表示値の入力例である。カーソルを表現するため、カーソル位置の数値には、下線を付与している。実際の表示部１１に於いて、カーソル位置の数値は点滅している。
数値入力を開始したとき、例えば初期状態で「００７０００」が表示されており、カーソル位置は１の桁である。
「ＳＰＡＮ／↑」キー１２ｃを短押しすると、表示部１１に表示されている数値は、１の桁の数値が１つ増加して、「００７００１」となる。
【００５６】
数値「００７００１」が表示され、カーソル位置が１の桁の状態に於いて、「ＳＰＡＮ／↑」キー１２ｃを短押しすると、数値は「００７００２」となり、「ＺＥＲＯ／←」キー１２ｂを短押しすると、カーソル位置が１０の桁に移動する。
【００５７】
同様に、数値「００７００２」が表示され、カーソル位置が１の桁の状態に於いて、「ＳＰＡＮ／↑」キー１２ｃを短押しすると、数値は「００７００３」（不図示）となり、「ＺＥＲＯ／←」キー１２ｂを短押しすると、カーソル位置が１０の桁に移動する。
【００５８】
また、数値「００７００９」が表示され、カーソル位置が１の桁の状態に於いて、「ＳＰＡＮ／↑」キー１２ｃを短押しすると、数値は「００７０００」となり、「ＺＥＲＯ／←」キー１２ｂを短押しすると、カーソル位置が１０の桁に移動する。
数値「００７００９」が表示され、カーソル位置が１０の桁の状態に於いて、「ＳＰＡＮ／↑」キー１２ｃを短押しすると、数値は「００７０１９」となる。
数値「００７０９９」が表示され、カーソル位置が１０の桁の状態に於いて、「ＳＰＡＮ／↑」キー１２ｃを短押しすると、数値は「００７００９」となる。
このようにして、指示計１０は、「ＳＰＡＮ／↑」キー１２ｃと「ＺＥＲＯ／←」キー１２ｂの短押しによって、任意の数値を入力することができる。指示計１０は、分銅値設定モードＭ６２、ゼロ点ひずみ値設定モードＭ７２、スパンひずみ値設定モードＭ８２でも同様なモード遷移で数値を入力することができる。
【００５９】
（第１の実施形態の効果）
以上説明した第１の実施形態では、次の（Ａ）〜（Ｆ）のような効果がある。
【００６０】
（Ａ）  指示計１０は、計測状態（校正ロック解除）Ｍ１０ａから校正設定モードＭ４０を呼び出す「ＦＵＮＣ」キー１２ａ（第１のキー）のほかに、校正モードを直接呼び出す「ＳＰＡＮ／↑」キー１２ｃと「ＺＥＲＯ／←」キー１２ｂ（第２のキー）を設けている。「ＳＰＡＮ／↑」キー１２ｃの長押しによって、ＳＰＡＮ校正モードＭ３０（第２の校正モード）を呼出している。「ＺＥＲＯ／←」キー１２ｂの長押しによって、ＺＥＲＯ校正モードＭ２０（第２の校正モード）を呼び出している。これにより、指示計１０は、簡単なキー操作によって、これら第２の校正モードを呼び出すことができる。
【００６１】
（Ｂ）  計測状態（校正ロック解除）Ｍ１０ａから、当該第２のキーの長押しによって、第２の校正モードを呼び出しており、ユーザが当該第２のキーに誤って触れてしまった場合には、これら第２の校正モードが呼び出されることはない。これにより、指示計１０は、既に校正した値を誤って上書きすることを防ぐことができる。
【００６２】
（Ｃ）  「ＳＰＡＮ／↑」キー１２ｃと「ＺＥＲＯ／←」キー１２ｂ（第２のキー）とは、校正設定モードＭ４０に於いて、校正値を設定するキーとして用いられている。これにより、指示計１０は、キースイッチを増やすことなく、少ないキースイッチによって、所定の校正モードを呼び出すことができる。
【００６３】
（Ｄ）  指示計１０は、計測状態（校正ロック解除）Ｍ１０ａから、当該第２のキーの長押しによって、ロードセルの実計測値の取り込みを開始する校正モードを呼び出すことができる。これにより、指示計１０は、当該第２のキーの多数回の押下による振動がロードセルに伝わり、ロードセルの実計測値が振れてしまうことを防ぐことができる。
【００６４】
（Ｅ）  計測状態（校正ロック解除）Ｍ１０ａから、「ＳＰＡＮ／↑」キー１２ｃと「ＺＥＲＯ／←」キー１２ｂ（第２のキー）の長押しによって呼び出されるＺＥＲＯ校正モードＭ２０（第２の校正モード）と、ＳＰＡＮ校正モードＭ３０（第２の校正モード）とは、いずれも校正値を計測するモードであり、校正値を設定するモードを含んでいない。これにより、ユーザが、第２のキーの長押しによるショートカット動作と、第２のキーの短押しによる校正値の設定モードとを混同し、操作を誤ってしまうことを抑止できる。
【００６５】
（Ｆ）  指示計１０は、第１の計測モードである計測状態（校正ロック解除）Ｍ１０ａから、「Ｆ／ＥＮＴ」キー１２ｄ（第３のキー）の長押しにより、第２の計測モードである計測状態（校正ロック）Ｍ１０ｂに遷移する。この第２の計測モードでは、ＺＥＲＯ校正モードＭ２０、ＳＰＡＮ校正モードＭ３０、校正設定モードＭ４０への遷移が抑止されている。これにより、指示計１０は、ユーザの誤操作により、既に校正した値を誤って上書きすることを防ぐことができると共に、誤操作による第１の計測モードから第２の計測モードへの遷移を防ぐことができる。
【００６６】
（第２の実施形態の構成と特徴）
第２の実施形態の指示計１０は、図１に示した第１の実施形態の指示計１０と同様の構成を有している。
第２の実施形態の指示計１０の特徴は、第１の実施形態の指示計１０とは異なる校正値（数値）入力のモード遷移を行うことである。
【００６７】
（第２の実施形態の動作）
第２の実施形態の指示計１０の全体のモード遷移は、図２に示す第１の実施形態の指示計１０の全体のモード遷移と同様である。
第２の実施形態の指示計１０の校正設定モードＭ４０のモード遷移は、図３に示す第１の実施形態の校正設定モードＭ４０に於ける最大表示値設定モードＭ５２とは異なる最大表示値設定モードＭ５２Ａ（図５）に遷移し、異なる方式で数値入力を行う。同様に、指示計１０は、第１の実施形態の分銅値設定モードＭ６２とは異なる分銅値設定モードＭ６２Ａ（不図示）に遷移し、第１の実施形態のゼロ点ひずみ値設定モードＭ７２とは異なるゼロ点ひずみ値設定モードＭ７２Ａ（不図示）に遷移し、第１の実施形態のスパンひずみ値設定モードＭ８２とは異なるスパンひずみ値設定モードＭ８２Ａ（不図示）に遷移する。それ以外のモード遷移は、第１の実施形態の校正設定モードＭ４０のモード遷移と同様である。
【００６８】
第２の実施形態の指示計１０の最大表示値設定モードＭ５２Ａ（図５）に於けるモード遷移は、図４に示す第１の実施形態の最大表示値設定モードＭ５２に於けるモード遷移とは異なる。これは、後記する図５に於いて詳細に説明する。第２の実施形態の分銅値設定モードＭ６２Ａ（不図示）、ゼロ点ひずみ値設定モードＭ７２Ａ（不図示）、スパンひずみ値設定モードＭ８２Ａ（不図示）は、最大表示値設定モードＭ５２Ａ（図５）のモード遷移と同様のモード遷移を行う。
【００６９】
図５（ａ），（ｂ）は、第２の実施形態に於ける最大表示値設定のモード遷移を示す図である。図４に示す第１の実施形態の最大表示値設定モードＭ５２と同一の要素には同一の符号を付与している。
図５（ａ）は、第２の実施形態に於ける最大表示値設定のモード遷移図である。
第２の実施形態の最大表示値設定モードＭ５２Ａは、第１の実施形態の最大表示値設定モードＭ５２と同様に最大表示値表示モードＭ５２ａを有し、第１の実施形態の最大表示値設定モードＭ５２とは異なり、数値増加モードＭ５２ｄと、数値桁上モードＭ５２ｅとを有している。
数値増加モードＭ５２ｄは、１の桁の数値を１だけ増加させるモードである。本実施形態では、第１の実施形態の数値増加モードＭ５２ｂとは異なり、カーソルを有していない。
数値桁上モードＭ５２ｅは、入力されていた数値を１０倍に更新する（桁上がりさせる）モードである。但し、表示部１１が表示可能な桁を溢れた数値は消失する。
【００７０】
最大表示値表示モードＭ５２ａのとき、指示計１０は、「ＳＰＡＮ／↑」キー１２ｃを短押しすると、数値増加モードＭ５２ｄに遷移して１の桁の数値を更新したのち、自動的に最大表示値表示モードＭ５２ａに戻り、「ＺＥＲＯ／←」キー１２ｂを短押しすると、数値桁上モードＭ５２ｅに遷移して、入力されていた数値を１０倍に更新したのち、自動的に最大表示値表示モードＭ５２ａに戻る。
【００７１】
図５（ｂ）は、第２の実施形態に於ける最大表示値設定のモード遷移による最大表示値の入力例である。
数値入力を開始したとき、表示部１１には、例えば初期状態で「０」が表示されている。
「ＳＰＡＮ／↑」キー１２ｃを短押しすると、１の桁の数値が１つ増加して、「１」となる。
数値「１」が表示されている状態に於いて、「ＳＰＡＮ／↑」キー１２ｃを短押しすると、数値は「２」となり、「ＺＥＲＯ／←」キー１２ｂを短押しすると、数値は「１０」となる。
同様に、数値「２」が表示されている状態に於いて、「ＳＰＡＮ／↑」キー１２ｃを短押しすると、数値は「３」（不図示）となり、「ＺＥＲＯ／←」キー１２ｂを短押しすると、数値は「２０」となる。
【００７２】
数値「９」が表示されている状態に於いて、「ＳＰＡＮ／↑」キー１２ｃを短押しすると、数値は「０」となり、「ＺＥＲＯ／←」キー１２ｂを短押しすると、数値は「９０」となる。
数値「９０」が表示されている状態に於いて、「ＳＰＡＮ／↑」キー１２ｃを短押しすると、数値は「９１」となる。
数値「９１」が表示されている状態に於いて、「ＳＰＡＮ／↑」キー１２ｃを短押しすると、数値は「９２」（不図示）となる。
このようにして、第２の実施形態の指示計１０は、最大表示値設定モードＭ５２Ａに於いて、「ＳＰＡＮ／↑」キー１２ｃと「ＺＥＲＯ／←」キー１２ｂの短押しによる方法、かつ、図４に示す第１の実施形態の最大表示値設定モードＭ５２の遷移とは異なる方法で、任意の数値を入力することができる。
（第２の実施形態の効果）
以上説明した第２の実施形態では、次の（Ｇ）のような効果がある。
【００７３】
（Ｇ）  指示計１０は、数値の設定（入力）に於いて、カーソル表示が不要である。これにより、指示計１０の処理部の能力や、表示部１１の表示能力が低い場合であっても、数値入力を実現することができる。
【００７４】
（変形例）
本発明は、上記実施形態に限定されることなく、本発明の趣旨を逸脱しない範囲で、変更実施が可能である。この利用形態や変形例としては、例えば、次の（ａ）〜（ｇ）のようなものがある。
【００７５】
（ａ）  第１の実施形態と第２の実施形態の指示計１０は、被計量物の荷重（質量）を計量する計量装置である。しかし、これに限られず、本発明は、計測を行う計測装置すべてに適用できる。計測を行う計測装置とは、例えば、圧力を計測する圧力計、動力装置のトルクを計測するトルク計、加速度を計測する加速度計、変位を計測する変位計である。
【００７６】
（ｂ）  第１の実施形態と第２の実施形態の指示計１０は、２つのキーで校正値を設定（入力）している。しかし、これに限られず、指示計は、テンキー（「０」キー〜「９」キー）によって校正値を設定するよう構成し、計測状態（校正ロック解除）Ｍ１０ａに於いて、これらのテンキーを長押しすることによって、それぞれの第２の校正モードに遷移するように構成してもよい。これにより、校正値の入力が更に簡単になると共に、多数の校正モードを、簡単な操作で呼び出すことができる。
【００７７】
（ｃ）  第１の実施形態と第２の実施形態の指示計１０は、第１の計測モードである計測状態（校正ロック解除）Ｍ１０ａから、第２のキーの長押しで第２の校正モードを呼び出している。しかし、これに限られず、指示計は、第２のキーと第１のキーとの同時押し、第２のキーと第３のキーとの同時押し、複数の第２のキー同士の同時押し、第１のキーと第３のキーとの同時押し、または、第４のキーと第１〜第３とのキーの同時押しで、第２の校正モードを呼び出すように構成してもよい。これにより、ユーザの誤操作による校正値の変更を抑止することができる。
【００７８】
（ｄ）  第１の実施形態と第２の実施形態の指示計１０は、第１の計測モードである計測状態（校正ロック解除）Ｍ１０ａから、第２のキーの長押しで、第２の校正モードであるＺＥＲＯ校正モードＭ２０またはＳＰＡＮ校正モードＭ３０を呼び出している。しかし、これに限られず、指示計は、第１のキーのダブルクリック、第２のキーのダブルクリック、または、第３のキーのダブルクリックで、第２の校正モードを呼び出すように構成してもよい。
【００７９】
（ｅ）  第１の実施形態と第２の実施形態の指示計１０は、第１の計測モードである計測状態（校正ロック解除）Ｍ１０ａから、第３のキーの長押しで第２の計測モードである計測状態（校正ロック）Ｍ１０ｂを呼び出している。しかし、これに限られず、指示計は、
指示計は、第２のキーと第１のキーとの同時押し、第２のキーと第３のキーとの同時押し、複数の第２のキー同士の同時押し、第１のキーと第３のキーとの同時押し、または、第４のキーと第１〜第３とのキーの同時押しで、第２の計測モードを呼び出すように構成してもよい。
【００８０】
（ｆ）  第１の実施形態と第２の実施形態の指示計１０は、第１の計測モードである計測状態（校正ロック解除）Ｍ１０ａから、第３のキーの長押しで第２の計測モードである計測状態（校正ロック）Ｍ１０ｂを呼び出している。しかし、これに限られず、指示計は、第１のキーのダブルクリック、第２のキーのダブルクリック、または、第３のキーのダブルクリックで、第２の計測モードを呼び出すように構成してもよい。
【００８１】
（ｇ）  第１の実施形態と第２の実施形態の指示計１０は、第１の校正モードに於いて、少なくとも校正値のいずれかを入力して設定している。しかし、これに限られず、指示計は、第１の校正モードに於いて、校正値を設定するのみでなく、校正値を計測するように構成してもよい。
【符号の説明】
【００８２】
１０  指示計  （計測装置）
１１  表示部
１２  操作部
１２ａ  「ＦＵＮＣ」キー              （第１のキー）
１２ｂ  「ＺＥＲＯ／←」キー          （第２のキー）
１２ｃ  「ＳＰＡＮ／↑」キー          （第２のキー）
１２ｄ  「Ｆ／ＥＮＴ」キー            （第３のキー）
Ｍ１０  計測状態
Ｍ１０ａ  計測状態（校正ロック解除）  （第１の計測モード）
Ｍ１０ｂ  計測状態（校正ロック）      （第２の計測モード）
Ｍ２０  ＺＥＲＯ校正モード            （第２の校正モード）
Ｍ３０  ＳＰＡＮ校正モード            （第２の校正モード）
Ｍ４０  校正設定モード                （第１の校正モード）
【図１】
0005809507.tif 000002
【図２】
0005809507.tif 000003
【図３】
0005809507.tif 000004
【図４】
0005809507.tif 000005
【図５】
0005809507.tif 000006